Podtech/llm-jp-corpus-v4-ja_patent huggingface dataset:
(57)【要約】【課題】  就寝用のベッドマットレス内部の通気をよくしてカビの発生元を抑え、それを簡単な構造にしてコストを低減させ、より多くの人々に清潔で快適な環境を提供する。【解決手段】  発泡ポリエステル等で下面に複数の突起足を出し上面にアルミ材を蒸着した板材で上下に貫通した複数の通気口を設けた最下層の上に通気性の高い立体繊維のクッション層を設け、その上に通気性のある綿またはスポンジの干渉層を設け、その上面と側面を覆う通気性４０ｃｍ２／ｃｍ２・ｓ〜５０ｃｍ２／ｃｍ２・ｓのカバーを設けたベッド用マットレスで通気効率を高める為にベッドベースにはめ込み給気部分に１方向バルブとマットレス側面に排気用の１方向バルブから成る通気性防湿ベッド。【選択図】図１
2016159126.tif 000002
【特許請求の範囲】
【請求項１】
発泡ポリエステル等で下面に複数の突起足、上面にアルミ材を蒸着した板材で上下に貫通した複数の通気口を設けた最下層の上に通気性の高い立体繊維のクッション層を設け、その上に通気性のある綿またはスポンジの干渉層を設け、その上面と側面を覆う通気性４０ｃｍ２／ｃｍ２・ｓ〜５０ｃｍ２／ｃｍ２・ｓのカバーを設けたベッド用マットレス。
【請求項２】
請求項１の最下層がアルミ蒸着を施した発泡ポリエステルで湿度を含まず通気性の高い立体繊維の中間層と通気性のある干渉層および通気性のあるカバーによって構成されるために汗等を含む湿度の影響を受け難いベッド用マットレス。
【請求項３】
請求項１の構造によりクッション層にコイル発条等の金属材料を使わない事で応力の集中や結露等の物理的影響を受け難いベッド用マットレス。
【請求項４】
請求項１の立体繊維のクッション層が就寝中の寝返り等でポンプ作用を発生しベットベースの通気効率を高める為に１方向バルブの付いた吸気口からベッド用マットレスの最下層の貫通した通気口を通過してマットカバー側面の１方向バルブの付いた排気口より空気が排出する換気機能を持ったベッド。
【請求項５】
請求項１のベッド用マットレスを入れる箱状のベットベースの側面または下面より送風機を利用して冷気、暖気および除湿の為の送風を行ないベッド用マットレスの最下層の貫通した通気口よりベットマットの内部に送気出来るベッド。
【発明の詳細な説明】
【技術分野】
【０００１】  本発明は、簡単な構造で自立内部換気機能を持ったベッドに関するものである。
【背景技術】
【０００２】  従来の通気性ベッドには複雑な通気路を製作し、クッション材の受け台にマットレスを載せるものがある（例えば，特許文献１参照。）。また、マットレスの一部分に通気路を配置し送風機を内蔵して換気するものがある（例えば、特許文献２参照。）。
【先行技術文献】
【特許文献】
【０００３】
【特許文献１】  特許  第４１７２５８１号
【特許文献２】  実開  昭６２−１０２４５３
【特許文献３】  特開  ２０１４−２３９６７
【非特許文献】
【０００４】
【非特許文献１】  シモンズ  マットレスカタログ  １２〜１３ページ
【発明の概要】
【発明が解決しようとする課題】
【０００５】  複雑な通気路や部分的な通気をしてもマットレスの一部分で癒着部に湿気が溜まりカビ発生の原因と成る。また、通気構造が専用設計による大きなコストがかかり現実的な商品として期待出来ないという問題が有る。
【課題を解決するための手段】
【０００６】  本発明はマットレスの構成でベッドベースと接触する最下層の発泡ポリエステル板で有り、通気路の確保の為の足の突起が吸湿しない一体成型品で安価にできる。【０００７】  マットレスのクッション材に金属製のコイルスプリンで出来ている物は多湿所帯ではスプリングに微細な結露が起こる場合が有る。本考案は中間層が化学繊維で立体構造を形成している為にマットレス内部全体が通気路となり、通気できない吸湿部分がなくなる。【０００８】  通気効率を高める為にマットレスとベッドベースの間に形成された通気路の給気部分に１方向バルブを設けて、マットレスの上側面に排気用の１方向バルブを設けることで、マットレスの中間層にある化学繊維の立体構造部が寝返りでポンプ作用を起こしてマットレス内部の換気をおこなう。
【発明の効果】
【０００９】  本考案のベッド構造は、いたってシンプルであり製造におけるコストが大幅に軽減できる。また、本考案の原理に基づいて通気性が高く、カビ対策に優れた衛生的で快適な通気性防湿ベッドを安価に提供できる。
【図面の簡単な説明】
【００１０】
【図１】  本発明の通気性防湿ベッドの構成を展開した斜視図。
【図２】  本発明の通気を示した断面図。
【図３】  本発明のマットレスの最下層の裏側を示した斜視図。
【図４】  本発明の図１に送風機を付けた斜視図。
【発明を実施するための形態】
【００１１】    本発明の実施の形態を図１に基づいて説明する。
【００１２】  発泡ポリエステル等で下面に複数の突起足４ｂ、上面にアルミ材を蒸着４ａした板材で上下に貫通した複数の通気口４ｃを設けた最下層４の上に通気性の高い立体繊維のクッション層３を設け、その上に通気性のある綿またはスポンジの干渉層２を設け、その上面と側面を覆う通気性４０ｃｍ２／ｃｍ２・ｓ〜５０ｃｍ２／ｃｍ２・ｓのカバー１を設けたベッド用マットレスをベッドベース５にはめ込み給気部分に１方向バルブ５ａとマットレス側面の排気用の１方向バルブ１ａから成る通気性防湿ベッド。
【実施例】
【００１３】  発泡ポリエステル等で下面に複数の突起足４ｂ、上面にアルミ材を蒸着４ａした板材で上下に貫通した複数の通気口４ｃを設けた最下層４の上に通気性の高い立体繊維のクッション層３を設け、その上に通気性のある綿またはスポンジの干渉層２を設け、その上面と側面を覆う通気性のあるカバー１を設けたベッド用マットレスをベッドベース５にはめ込み給気部分に１方向バルブ５ａと送風ダクト６および送風機７を設けマットレス側面の排気用の１方向バルブ１ａから成る通気性防湿ベッド。
【産業上の利用可能性】
【００１４】  本考案の原理に基づいて通気性が高く、カビ対策に優れた快適な通気性防湿ベッドを安価に提供できる。【００１５】  湿度の多いキャンピングカー等の狭い車室内において軽量でカビ対策に優れた快適な通気性防湿ベッドを安価に提供できる。
【符号の説明】
【００１６】  １    上面と側面を覆うカバー
１ａ  排気用の１方向バルブ
２    通気性のある綿またはスポンジの干渉層
３    立体繊維のクッション層
４    発泡ポリエステル等で出来た最下層
４ａ  発泡ポリエステル等で出来た最下層のアルミ蒸着部
４ｂ  発泡ポリエステル等で出来た最下層の突起足
４ｃ  発泡ポリエステル等で出来た最下層の貫通穴
５    ベッドベース
５ａ  ベッドベースの給気用１方向バルブ
６    送風機用ダクト
７    送風機
【図１】
2016159126.tif 000003
【図２】
2016159126.tif 000004
【図３】
2016159126.tif 000005
【図４】
2016159126.tif 000006
(57)【要約】【課題】  従来のポケットテイッシュは、ポケットに入るように長方形状の本体部にテイッシュを積層した状態で内包するが、本体部表面の開口部を開放するのに、両手で開口部の周囲を押さえ、左右に引っ張って開口せざるを得なく、片手しか使えない人にとっては使いにくいという課題があった。【解決手段】  上記課題を解決する手段として、本発明は、複数枚のテイッシュを内包する本体部から成るポケットテイッシュにおいて、長手形状の本体部の上面に内包されるテイッシュ３を順次取り出す為の開口部２を有し、前記本体部１には複数層に積み重ねられたテイッシュ３を内包すると共に、左右から本体部１を内側に２又は３折に折り畳まれ、折り畳み後には本体部１の裏面に設けられた粘着部材４の着脱部５で折り畳め表面を固定し、剥離部６で容易に剥離することを特徴とするポケットテイッシュを提供するものである。【選択図】図１
2016159125.tif 000002
【特許請求の範囲】
【請求項１】
複数枚のテイッシュを内包する本体部から成るポケットテイッシュにおいて、長手形状の本体部の上面に内包されるテイッシュ３を順次取り出す為の開口部２を有し、前記本体部１には複数層に積み重ねられたテイッシュ３を内包すると共に、左右から本体部１を内側に二つ折又は三つ折に折り畳まれ、折り畳み後には本体部１の裏面に設けられた粘着部材４によって折り畳み表面を固定されてなることを特徴とするポケットテイッシュ。
【発明の詳細な説明】
【技術分野】
【０００１】  本発明は、持ち運びに便利なポケットテイッシュに関するものであり、特に片手で本体部からテイッシュを容易に引き出すことが可能なポケットテイッシュを提供する。
【背景技術】
【０００２】  従来のポケットテイッシュは、長方形状の本体部に積層されたテイッシュを本体部に設けた開口部を両手で左右に引っ張って開口し、内部のテイッシュを引き出すものが一般的である。【０００３】  一方箱入りのテイッシュは、本体上面に設けたミシン目状態で取り付けられている開口部を開口した後に自由に片手で引き抜くことが出来、使い勝手はよいが持ち運びに不便さが残っている。
【発明の開示】
【発明が解決しようとする課題】
【０００４】  従来のポケットテイッシュは、ポケットに入るように縦８ｃｍ、横１３ｃｍ、厚み１ｃｍ前後の長方形状の本体部にテイッシュを積層した状態で内包するが、本体部表面の開口部を開放するのに、両手で開口部の周囲を押さえ、左右に引っ張って開口せざるを得なく、片手しか使えない人にとっては使いにくいものであった。
【課題を解決するための手段】
【０００５】  本発明者は、上記課題を解決する手段として、箱型形状のタイプと同様な大きさ（縦１２ｃｍ、横２３ｃｍ、厚み５ｍｍ）を有する本体部にテイッシュを積層させて内包させ、本体部表面には予め中央部に開口部を設けておき、簡易にテイッシュを引き出すことを可能とすると共に、持ち運びを容易にするために本体部を二つ折り又は三つ折に折り畳み、本体部底面側に固定されてなる粘着部材４で折り畳み箇所を粘着部材で固定することによって持ち運びを用意に出来るものである。【０００６】  即ち本発明の第一は、複数枚のテイッシュを内包する本体部から成るポケットテイッシュにおいて、長手形状の本体部の上面に内包されるテイッシュ３を順次取り出す為の開口部２を有し、前記本体部１には複数層に積み重ねられたテイッシュ３を内包すると共に、左右から本体部１を内側に２又は３折に折り畳まれ、折り畳み後には本体部１の裏面に設けられた粘着部材４によって折り畳め表面を固定されてなることを特徴とするポケットテイッシュを提供するものである。【０００７】  本発明によれば、持ち運び時には折り畳むことによって容易にポケットに入れて運ぶと共に、使用時においては左右に開くことによって本体部内面に設けた開口部から本体部内部に積層されているテイッシュを１枚ごと片手でも引き出すことが可能となるものである。
【図面の簡単な説明】
【０００８】
【図１】本発明のポケットテイッシュを示す斜視図である。
【図２】本発明のポケットテイッシュを三つ折に折り畳んだ状態を示す斜視図である。
【発明を実施するための形態】
【０００９】  本発明の実施の形態を実施例に基づき、図面を参照にして説明する。
【実施例１】
【００１０】  図１は、本発明のポケットテイッシュの全体を示す斜視図である。本発明のポケットテイッシュは、一例として縦１２ｃｍ、横２３ｃｍ、厚み５ｍｍの大きさである長手形状の本体部（パッケージともいう）の上面に内包されるテイッシュ３を順次取り出す為の開口部２を有し、前記本体部１には複数層に積み重ねられたテイッシュ３を内包し、片手でも容易に取り出すことが出来る。【００１１】  図２は、本発明のポケットテイッシュを三つ折に折り畳んだ状態を示す斜視図であるが、、左右から本体部１を内側に三つ折に折り畳まれ、折り畳み後には本体部１の裏面に設けられた粘着部材４の着脱部５で折り畳め表面を固定し、剥離部６で容易に剥離するものである。【００１２】  本体部１を構成する材質は透明或いは着色した樹脂素材でや和紙素材であっても構わない。又、本体部１表面に設けられた開口部２は、本体部の素材を単に開口したものや、或いは開口部のみを二重に折り畳んで開口部に強度を持たせても良い。【００１３】
【産業上の利用可能性】
【００１４】  本発明のポケットテイッシュは、持ち運び時には二つ又は三つ折にするためにコンパクトになり容易に持ち運びが出来ると共に、簡易に脱着できる粘着部材を引き離すことによって左右に広げ開口部から内包されているテイッシュを片手でも１枚ごとに引き出すことが出来るようになっている。【００１５】  これによって、片手でしか使用できない方でも容易に持ち運びと使用が出来るポケットテイッシュを提供できるようになった。
【符号の説明】
【００１６】１・・・本体部
２・・・開口部
３・・・テイッシュ
４・・・粘着部材
５・・・着脱部
６・・・剥離部
【図１】
2016159125.tif 000003
【図２】
2016159125.tif 000004
(57)【要約】【課題】すでに紙が挟まれているクリップを開くと紙が抜け落ちてしまうのを解消するために、鋲を取り付けたクリップを提供する。【解決手段】クリップの押さえ下部１の内部に鋲を取り付け、押さえ上部２の鋲がはまる部分に中空部を設けることにより、クリップを開いても紙は抜け落ちることがなくなる。【選択図】図１
2016159624.tif 000002
【特許請求の範囲】
【請求項１】
鋲付のクリップ
【発明の詳細な説明】
【技術分野】
【０００１】本発明は、クリップ内に鋲を装着し、クリップを開いてもすでに挟んである紙などが落ちないようにしたものである。
【背景技術】
【０００２】従来は、クリップ内に鋲を装着したものはなかった。
【発明の開示】
【発明が解決しようとする課題】
【０００３】従来のクリップは紙を挟む場合、すでに紙が挟まれているとクリップを開くとすでに挟ｍｓまれていた紙は抜け落ちてしまうので、片手ですでに挟まれている紙を抑えながら同時にクリップを開き、もう片方の手で新しい紙を挟むか、すでに挟まれてある紙を全部外ｍｍして新しい紙と一緒に挟まなければならなかった。また不要になった紙を外す時もほかの紙が抜け落ちないように押さえるか、全部を外してから不要の紙を取り除き再度クリｍｍップに挟まなければならなかった。本発明は、この課題を解消するためになされたものである。
【課題を解決するための手段】
【０００４】本発明は、その欠点を除くために考案されたもので、これを図面について説明すれば、押さえ下部１の内部に鋲を取り付け、押さえ上部２の鋲がはまる部分に中空部を設ける。
【発明の効果】
【０００５】挟まれた紙は再度クリップを開いても鋲により固定されているので抜け落ちることはない。また不要になった紙を取り除く場合も、クリップを少し開いた状態にすれば他の紙は固定されたままなので、奥の方の紙でも容易に抜き取ることができる
【図面の簡単な説明】
【０００６】
【図１】本発明のクリップが開いた状態の斜視図
【図２】本発明のクリップが閉じた状態の斜視図
【図３】本発明のクリップが閉じた状態の側面図
【図４】本発明のクリップが開いた状態の正面図
【符号の説明】
【０００７】１  押さえ下部
２  押さえ上部
３  中空部
４  鋲
【図１】
2016159624.tif 000003
【図２】
2016159624.tif 000004
【図３】
2016159624.tif 000005
【図４】
2016159624.tif 000006
(57)【要約】【課題】  暴風時における突風の圧力を自動的に分散化させ、箱車の横転を皆無にするようにした。箱車の横転防災と省エネ兼用器を提供する。【解決手段】  貨物を積み重ねる、高さのある長方形の箱を車台に設けた箱車本体と、前記長方形箱の左右側面と正面に、突風を分散するボール多数を半球に形成した、横転防災器を設け、箱車が風速半減地帯を走行するようにしたことを特徴とする箱車の横転防災と省エネ兼用器。【選択図】図１
2016159901.tif 000002
【特許請求の範囲】
【請求項１】
貨物を積み重ねる、高さのある長方形の箱を車台に設けた箱車本体と、前記長方形箱の左右側面と正面に、突風を分散するボール多数を半球状に形成した、横転防災器を設け、箱車が風速半減地帯を走行するようにしたことを特徴とする箱車横転防災と省エネ兼用器。
【発明の詳細な説明】
【技術分野】
【０００１】  本発明は、暴風時における突風の圧力を自動的に分散化させ、箱車の横転を皆無にするようにした、箱車の横転防災と省エネ兼用器に関するものである。
【背景技術】
【０００２】  従来、箱車は突風に弱いと言われていたが、最近都市の街中で停車中の３メートル高さの大形箱車２台が突風の横殴り圧力により、横転しているのをテレビで放映されていた。また、暴風で高層ビルが揺れるので、ビルの壁に水車式風車を設け、風の圧力を分散するのを発明されたことを、あるテレビ局で放映されていた。
【発明の概要】
【発明が解決しようとする課題】
【０００３】そのために、次のような問題点があった。
（イ）フイリピン列島の沖合は台風の発生地で毎年暴風により甚大なる被害を蒙っていた。地球温暖化により海水温が上昇し、日本列島近海で台風と低気圧が再々発生し、直接都市に上陸する現象が起こり、超暴風により高層ビルの揺れ、又はあらゆる交通機関がストップ状態になっていた。
（ロ）ある発明者がビルの壁、又は箱車にも突風の分散の風車を設けようと、計画されているが超暴風により、窓ガラスが打ちくだかれる突風による甚大なる被害を考慮しなければならない。
本発明は、以上の問題点を解決するためになされたものである。
【課題を解決するための手段】
【０００４】  本発明は、貨物を積み重ねる、高さのある長方形の箱を車台に設けた箱車本体と、前記長方形箱の左右側面と正面に突風を分散するボール状を半球に形成し並べた横転防災器を設ける。そして突風の圧力を分散し、箱車が風速半減地帯を走行するようにする。以上を特徴とする箱車の横転防災と省エネ兼用器である。
【発明の効果】
【０００５】  本発明は、二台の大形箱車が側面に直接風圧を受けながら停車中のところ突風により横転している所を、テレビにて全国放映されていたが、この箱に受ける風圧を自動的に分散するようにするには、風の流れを安定的に変化させるボール状の物を設ける以外に方法はあり得ないのである。未然に風の流れを変化させ、風圧力を分散可能にするにより、防災と省エネ兼用の効果を発揮するものである。
【図面の簡単な説明】
【０００６】
【図１】  本発明の斜視図
【図２】  本発明の突風分散の図
【図３】  従来、箱車の突風により横転図
【図４】  本発明の使用状態を示す斜視図
【発明を実施するための最良の形態】
【０００７】以下、本発明の実施の形態を説明する。
（イ）横転防災本体（１）は突風（６）を分散するために、箱体（３）の左右側面（４）に設け、正面（５）には走行風圧の省エネ用として設ける。
（ロ）プラスチック材からなる半球ボール状（２）を、可塑型利用により形成されている。
（ハ）箱体（３）への取り付けは半球ボール（２）の型枠を、ボルト締めに設ける。
本発明は以上の構成よりなっている。
本発明を使用するときは、上記半球ボール（２）の頂点を、風速に向け設ける。
突風（６）が発生した場合において、突風（６）が半球ボール（２）の頂点に触れると同時に、頂点が分岐点となり、円周に屈折分散され減速状態になり、箱体（３）には現状維持の効果を発揮する。
以上が発明の原理を応用されたものである。
【符号の説明】
【０００８】１    横転の防災器
２    半球ボール
３    箱体
４    分岐点
５    正面風の分散器
６    突風
７    屈折部
８    分散風
９    ドア
【図１】
2016159901.tif 000003
【図２】
2016159901.tif 000004
【図３】
2016159901.tif 000005
【図４】
2016159901.tif 000006
(57)【要約】【課題】爪や指先を洗浄する際に、汚れ具合や皮膚の強さに合わせ、程良い力加減で丁寧に洗浄出来る爪ブラシを提供する。【解決手段】ブラシの台座（１）に短い部分から長い部分を無段階にもつブラシ繊維部分（２）を設置し、長さの違いによるブラシ繊維の強度の違いが無段階に有る事を特徴とする。【選択図】図７
2016185316.tif 000002
【特許請求の範囲】
【請求項１】
台座（１）に設置されたブラシ繊維（２）の長さが無段階の長さで配列された事を特徴とする爪ブラシ。
【請求項２】
［図４］の示す様な、長さが毛束ごとに多数の段階になっているブラシ繊維（２）が台座（１）に設置されている事を特徴とする爪ブラシ。
【請求項３】
台座（１）に設置されたブラシ繊維（２）の長さが、無段階の長さで配列された事を特徴とする洗浄およびマッサージ用のブラシ。
【発明の詳細な説明】
【技術分野】
【０００１】本発明は、手足の爪、及び指と爪の間を洗浄する爪ブラシに関するものである。
【背景技術】
【０００２】従来の爪ブラシはブラシ部分の植毛繊維部分の長さが長く、また長さが一定であり洗浄の際に加える事の可能な力加減も一定であった。
又、複雑な形状の物でも植毛繊維部分の長さは一定であった（特許文献１参照）。
【先行技術文献】
【０００３】
【特許文献１】実用新案公開平５−６５２９２
【０００４】
【特許文献２】特開昭５７−１５６７０５
【発明の概要】
【発明が解決しようとする課題】
【０００５】しかしながらこれらには次の様な欠点があった。
従来の爪ブラシでは爪と指の間の奥まで洗浄出来るようにブラシ部分には細い植毛繊維を使用していた。しかし、その場合では植毛繊維が細く長いため強度が無く、力を加えて丁寧に洗浄する事が出来ないため、汚れが酷い場合には特に汚れが落とし切れない。【０００６】また上記の理由で無駄に強く擦ってしまうため細い植毛繊維が劣化して曲がってしまい、さらに使用し辛くなってしまう。【０００７】また、太く強度の有る植毛繊維をブラシに採用した物では、爪と指の間の奥の部分まで植毛繊維の先が届かずに丁寧な洗浄が出来ず、指先を痛める原因にもなる。【０００８】複雑な形状の物でも程良い力加減で力を加え丁寧に洗浄する事は出来ず、本体の隙間等に汚れが付着しやすく不衛生である。
本発明は以上のような欠点を無くすためになされたものである。
【課題を解決するための手段】
【０００９】ブラシの台座（１）に短い部分から長い部分を無段階にもつブラシ繊維部分（２）を設置する。
本発明は以上のような構成よりなる爪ブラシである。
【本発明品の効果】
【００１０】本発明の爪ブラシは植毛繊維を細くしても、短い部位を設ける事により、洗浄時の植毛繊維の強度の保持が可能となる。
【００１１】そのため、酷い指先や爪の汚れに対しても対応が可能となり、強い洗浄効果が得られる。
【００１２】さらに植毛繊維が無駄に長くないため、余分な力を加えて洗浄する必要がなく、また植毛繊維が劣化して曲がってしまう事を極端に防ぐ事が可能となる。
【００１３】爪との境目の指を洗浄する際には［図７］の示す向きで使用し、爪の内側を洗浄する際には［図８］の示す向きで使用すれば、植毛繊維の長さから得る程良い強度の部位による丁寧な洗浄が可能となり、力の加減も出来るため指先を痛める事も無くマッサージ効果も期待出来る。
【００１４】尚、［図８］の示すように爪の内側を洗浄する際には［図６］の示す形状のように（１１）の長さよりも（１０）の長さを短く植毛する事により同様の効果が得られる。
【００１５】また、植毛繊維の長い部分に向け［図３］の示すような繊維の先端の形状であれば、狭い隙間にも植毛繊維の先が届き、より丁寧な洗浄が可能である。
【００１６】本発明品は単純な構成の形状からなるため、洗浄後の汚れが本体に溜り辛く衛生的である。
【図面の簡単な説明】
【００１７】
【図１】本発明品の斜視図（植毛繊維部分（２）は略して立方体で表している）
【図２】本発明品の側面図
【図３】符号（２）の一部拡大図（植毛繊維の毛束を表している）
【図４】［図３］の変形型
【図５】［図１］の符号（２）を透視斜視図で表したもの
【図６】［図１］の変形型の斜視図
【図７】指先洗浄時の使用例側面図
【図８】爪の内側洗浄時の使用例側面図
【発明を実施するための形態】
【００１８】以下本発明を実施するための形態について説明する。
ブラシの台座（１）に短い部分から長い部分をもつブラシ繊維部分（２）を植毛する。
本発明は以上のような構成である。
【００１９】本発明品を用いて爪の間際の指を洗浄する際には［図７］の様に使用し、爪の裏側を洗浄する際には［図８］のように使用する。
双方汚れが酷くて強く洗浄したい場合いには、毛足の短い部分を使い洗浄する。
【００２０】また［図６］のように（１１）の長さより（１０）の長さを短く設ける構造にすれば、さらに爪の裏の安易な洗浄が可能となる。
【００２１】またブラシ繊維の配列が［図４］の示す毛束ごとの長さの違いによる形状であっても洗浄時に強弱をつける事は可能である。
【符号の説明】
【００２２】１  台座
２  ブラシ繊維部分
３  台座とブラシの結合部分
４  ブラシ繊維部分の毛足の長さを表す辺の長さをを表す
５  ブラシ繊維部分の毛足の長さを表す辺の長さをを表す
６  ブラシ繊維部分の毛足の長さを表す辺の長さをを表す
７  ブラシ繊維部分の毛足の長さを表す辺の長さをを表す
８  ブラシ繊維部分の毛足の長さを表す辺の長さをを表す
９  ブラシ繊維部分の毛足の長さを表す辺の長さをを表す
１０  ブラシ繊維部分の毛足の長さを表す辺の長さをを表す
１１  ブラシ繊維部分の毛足の長さを表す辺の長さをを表す
１２  指
１３  爪
【図１】
2016185316.tif 000003
【図２】
2016185316.tif 000004
【図３】
2016185316.tif 000005
【図４】
2016185316.tif 000006
【図５】
2016185316.tif 000007
【図６】
2016185316.tif 000008
【図７】
2016185316.tif 000009
【図８】
2016185316.tif 000010
(57)【要約】【課題】  水桶を運ぶ際にかかる水の重さによる体の負担が軽減出来るよう水桶にキャスター等をつけた、少しの力で運べる水桶を提供する。【解決手段】  水桶（１）の下部にキャスター等（２）と真っすぐ置く時使用する支え（３）を設け中部分に斜めにしても水が流れない止め（４）と水が少量になった際に水桶を傾ければ柄杓等に注ぎやすい口（５）を設けた、少しの力で運べる水桶を特徴とする。【選択図】図１
2016028962.tif 000002
【特許請求の範囲】
【請求項１】
水桶（１）の下部にキャスター等（２）と真っすぐ置く時使用する支え（３）を設け中部分に斜めにしても水が流れない止め（４）と水が少量になった際に水桶を傾ければ柄杓等に注ぎやすい口（５）を設けた、少しの力で運べる水桶。
【発明の詳細な説明】
【技術分野】
【０００１】  この発明は、お墓参りで使う水桶にキャスター等を設けた、少しの力で運べる水桶に関するものである。
【背景技術】
【０００２】  従来、お墓参り用の水は水桶に水を汲み手でぶら下げて運んでいた。
【先行技術文献】
【特許文献】
【０００３】
【特許文献１】
【発明の概要】
【発明が解決しようとする課題】
【０００４】  これは、次のような欠点があった。
従来、お墓参りの際、力の弱い方や腰痛がある方等は重い水桶を運ぶのが困難だった。
本発明は、以上のような欠点をなくすためになされたものである。
【課題を解決するための手段】
【０００５】  水桶（１）の下部にキャスター等（２）と真っすぐ置く時使用する支え（３）を設け中部分に斜めにしても水が流れない止め（４）と水が少量になった際に、桶を傾ければ残りの水が柄杓等に注ぎやすい口（５）を設ける。
本発明は、以上の構成よりなる少しの力で運べる水桶である。
【発明の効果】
【０００６】  力の弱い方や腰痛がある方等も、少しの力で水桶を運ぶことが可能で体の負担を軽減出来る。
【図面の簡単な説明】
【０００７】
【図１】  本発明の斜視図（１）である。
【図２】  本発明の斜視図（２）である。
【発明を実施するための形態】
【０００８】  以下、本発明を実施するための形態について説明する。
水桶（１）の下部にキャスター等（２）と真っすぐ置く時使用する支え（３）を設け中部分に斜めにしても水が流れない止め（４）と水が少量になった際に、桶を傾ければ柄杓等に注ぎやすい口（５）を設ける。
本発明は、以上のような構成である。
これを使用する時は、桶の取っ手を持ちキャスター等の方を下にして傾け引っ張ればよい。
【符号の説明】
【０００９】  １  水桶
２  キャスター等
３  真っすぐ置く時使用する支え
４  斜めにしても水が流れない止め
５  柄杓等に注ぎやすい口
【図１】
2016028962.tif 000003
【図２】
2016028962.tif 000004
(57)【要約】      （修正有）【課題】風呂蓋に付着した湯水の水滴を完全に乾燥させ、カビの発生を防ぐために干す場所の面積をとらずに、立て置きにして干すことができる風呂蓋干し具を提供する。【解決手段】フック１を有する棒の下端部にコの字型した受け物６を固定して、棒の太さより内径が大きい筒３にコの字型した掛け物５を固定して筒３が落下しないようにストッパーピン４を設ける。使用するときは、風呂蓋干し具数本を物干し竿７に掛け、風呂蓋９の下部を受け物６に差し込み、風呂蓋９の上部に掛け物５を差し込む。【選択図】図４
2016028742.tif 000002
【特許請求の範囲】
【請求項１】
フック（１）を有する棒（２）の下端部（８）にコの字型した受け物（６）を固定して、棒（２）の太さより内径が大きい筒（３）にコの字型した掛け物（５）を固定して筒（３）が落下しないようにストッパーピン（４）を設けた風呂蓋干し具。
【発明の詳細な説明】
【技術分野】
【０００１】この発明は、物干し竿等に掛けて面積をとらずに干すことができるようにフックを有する棒の下端部に固定されたコの字型の受け物と上側部にスライドするコの字型の掛け物を設けた風呂蓋干し具に関するものである。
【背景技術】
【０００２】従来は、風呂蓋についた湯水を自然乾燥するための専用干し具がなかった。
【発明の概要】
【発明が解決しようとしている課題】
【０００３】これは次のような欠点があった。
（イ）風呂蓋を丸めた状態で浴室洗い場に立て掛けて湯水を切っていたが乾燥状態までにはいかずにカビが発生してお手入れが困難。
（ロ）屋外で日陰干しをするが立て掛けておくと風で倒れ横にすると面積が大きくて適当な場所がなかった。
本発明は、以上のような欠点をなくすためになされたものである。
【課題を解決するための手段】
【０００４】風呂蓋の水滴を乾燥させるために、フック（１）を有する棒（２）の下端部（８）にコの字型した受け物（６）を固定して、棒（２）の太さより内径が大きい筒（３）は上下にスライドできてその筒（３）にコの字型した掛け物（５）を固定してスライドする筒（３）が落下しないようにストッパーピン（４）を設けた風呂蓋干し具を数本使用してそれぞれのフック（１）を物干し竿（７）等にかけて風呂蓋（９）を干すことができるようにした。本発明は、以上の構成よりなる風呂蓋干し具である。
【発明の効果】
【０００５】（イ）風呂蓋に付着した水滴を広げて干すことにより完全に乾燥させることができカビの発生を防ぐ効果がある。
（ロ）場所をとらず立て掛けて干すことができる効果があり干し具もコンパクトで軽量である。
（ハ）風呂蓋干し具を数本使用することにより風呂マットも干すことができる効果がある。
【図面の簡単な説明】
【０００６】
【図１】本発明の側面図である。
【図２】本発明の正面図である。
【図３】本発明の断面図である。
【図４】本発明の使用状態を示す斜視図である。
【発明を実施するための形態】
【０００７】以下、本発明を実施するための形態について説明する。
フック（１）を有する棒（２）の下端部（８）にコの字型した受け物（６）を固定して、棒（２）の太さより内径が大きい筒（３）にコの字型した掛け物（５）を固定して筒（３）が落下しないようにストッパーピン（４）を設ける。
本発明は、以上のような構造である。
これを使用するときは、風呂蓋干し具の受け物に風呂蓋下部を差し込んでから筒をストッパーピンから外して掛け物を風呂蓋上部に差し込む。
数本使用するときは２本目以降も同様に使用する。例えば風呂蓋の長さが約１ｍ６０ｃｍだと３本使用すればいい。風呂マットも使用することができる。
【符号の説明】
【０００８】１  フック
２  棒
３  筒
４  ストッパーピン
５  掛け物
６  受け物
７  物干し竿
８  棒の下端部
９  風呂蓋
【図１】
2016028742.tif 000003
【図２】
2016028742.tif 000004
【図３】
2016028742.tif 000005
【図４】
2016028742.tif 000006
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
フック（１）を有する棒（２）の下端部（８）にコの字型した受け物（６）を固定して、棒（２）の太さより内径が大きい筒（３）にコの字型した掛け物（５）を固定して、筒（３）を風呂蓋（９）の巾寸法以上の高さに仮固定出来るようにストッパーピン（４）を設け、筒（３）にストッパーピン（４）を外したり固定したりできる誘導溝を設けた風呂蓋干し具。
(57)【要約】      （修正有）【課題】野球投手の肘関節を保護する肘故障防止カバーを提供する。【解決手段】肘故障防止カバーを装着してボールを投げると、投げた瞬間に肘がまっすぐ（１８０度）伸びないようにする。肘故障防止カバーに角度がついており、いくら鋭い振りで投げても１８０度伸びないようにストップされるので、肘関節に衝撃が加わることがない。投手だけでなく野手も、このカバーを使用すると保護効果がある。野球だけでなく、テニスやバトミントンなどにも使用可能。子供の時からこの肘故障防止カバーを使用する事により、世界中で肘の故障者は居なくなる。【選択図】図１
2016000204.tif 000002
【特許請求の範囲】
【請求項１】
野球の投手が肘関節を保護する為に肘故障防止カバーを装着しプレイするものである。肘と上腕前腕を約半分包み上腕部を固定し肘の曲げ伸ばしは可能であるがまっすぐ（１８０度）に伸びないようにして肘の損傷を発症させない保護カバーである。
右きき用、サウスポー用、大人用、子供用、人により腕の長さ大きさが異なるので肘故障防止カバーの製作は多数の種類を要する。使用する人は自分にマッチする肘故障防止カバーを選んで使用することになります。
【発明の詳細な説明】
【技術分野】
【０００１】上腕と肘と前腕を約半分包囲したカバーを腕に合わせ作製。材質は軽くて強度の有る炭素繊維複合材料を使用。寸法は腕の大きさ（子供から大人）により多種類となる。腕の肘上下部にあわせて型をとり製品を作製する。上腕部は固定するためマジックテープを取付ける。上腕部と前腕部の角度は図のように１８０度＋αである。カバーの厚みは強度を保ち最小にする。【０００２】カバーの上腕部は伸縮性布に貼り付けたマジックテープで適当な締りになるように装着する。腕を曲げたときは筋肉が膨らむ為締め付け布は強いゴム性の物を使用し、締め付け力を調整する為３区分にする。更にボールを投げた瞬間腕をピンと伸ばしても実際は前腕部のカバーでストップされ腕は伸ばせないのである。その為肘に衝撃が無く違和感も無く肘に損傷は発症しないのであります。
【発明の開示】
【発明が解決しようとする課題】
【０００３】スポーツ選手の肘関節の故障を無くするのが目的である。野球の投手は肘を故障する者が非常に多い。特に一流の投手は腕の振りが鋭いので肘の故障発症率が高い。投手は球を投げた瞬間に腕がピンと伸びるが時折カクンと１８０度以上に伸びてしまい、この時に肘関節に損傷が発症するのである。実は私も１９歳の時、草野球の試合中たった１球で右肘を損傷故障しました。それから何十年も医者にも行かず肘痛で悩まされました。発明のポイントは、投手が腕に肘損傷防止カバーを装着投げた瞬間に肘がカクンと伸びないようにするものである。
【発明の効果】
【０００４】どんな投手でも肘故障防止カバーを装着し投球しても肘が１８０度伸びる手前でストップされるので肘損傷は発症しない。世界中で、小さい子供の頃からこのカバーを使用し続ける事により世界から肘故障者はいなくなるのである。又テニス、バトミントン等のプレイにも使用出来るものと考えます。
【図面の簡単な説明】
【図１】＊図ー１《肘故障防止カバー》  上腕ー肘ー前腕部にマッチしたカバーは炭素繊維複合材料に締め付布（３枚）をセットし更に締め付布にマジックテープをセットしたものである。  Ｙ−部には、投球した瞬間に腕が伸びる為、曲げモーメントがかかるので対応出来る強度が必要である。  腕の締め付が部分的に調整出来るように３区部になっており、又ボールを投げた時腕に違和感のないようにする為である。肘故障防止カバーの寸法については種類が多くなるのでそれぞれに合った寸法となる。  Ｙ−部の角度については、カバー使用者が違和感を感じない最適角度に決め製作する。
【図２】＊図ー２《肘故障防止カバー装着図》  上腕部は投手が違和感を感じない程度にしっかりと装着する事。  カバーの寸法Ｈは腕の約半分位であるが、ｈは必要最小にする。
【図１】
2016000204.tif 000003
【図２】
2016000204.tif 000004
(57)【要約】【課題】根掛かりした仕掛けを切る際は、素手で糸を引っ張って仕掛けを切るか、専用の根掛かり用糸切りを使って引っ張るしかなかった。前者では、糸の強度が強いと引っ張った際にケガをする危険があり、後者では、持ち歩くのが面倒だという難点がある。これらの危険や難点を解消するために、根掛かり用糸切り付き竿を提供する。【解決手段】竿１の根本から少し上の部分に根掛かり用糸切り２を取り付けて、根掛かりした時に糸を巻きつけて引っ張れるようにする。【選択図】図１
2016000025.tif 000002
【特許請求の範囲】
【請求項１】
竿の根本部分に根掛かり用糸切りを取り付けた竿。
【発明の詳細な説明】
【技術分野】
【０００１】本発明は、根掛かりをした際に、糸を素手で引っ張ってケガをしないために、竿の根本部分に糸を巻きつけれるようにし、根掛かりした時にそこに糸を巻きつけて引っ張れるようにしたものである。
【背景技術】
【０００２】従来は、竿の根本部分に糸を巻きつけて引っ張る事に特化した竿は無かった。
【発明の概要】
【発明が解決しようとする課題】
【０００３】根掛かりした仕掛けを切る際は、素手で糸を引っ張って仕掛けを切るか、専用の根掛かり用糸切りを使って引っ張るしかなかった。前者では、糸の強度が強いと引っ張った際にケガをする危険があり、後者では、持ち歩くのが面倒だという難点があった。本発明は、この課題を解消するためになされたものである。
【課題を解決するための手段】
【０００４】竿１の根本から少し上の部分に根掛かり用糸切り２を付ける。
【発明の効果】
【０００５】根掛かりした時に、根掛かり用糸切り２に糸を数回巻きつけて竿１ごと糸を引っ張って仕掛けを切る事ができ、素手で糸を引っ張ってケガをする事もなく、持ちあるくタイプの根掛かり用糸切りを用いる必要もなくなった。
【図面の簡単な説明】
【０００６】
【図１】本発明の全体図である。
【図２】根掛かり用糸切り２だけの図である。
【発明を実施するための形態】
【０００７】以下、本発明の実施するための形態について説明する。
・竿１の根本から少し上に根掛かり用糸切り２を取り付ける。
【符号の説明】
【０００８】１  竿
２  根掛かり用糸切り
【図１】
2016000025.tif 000003
【図２】
2016000025.tif 000004
(57)【要約】      （修正有）【課題】ダクテッドファンのプロペラ回転と後部へ噴射する流体気流による反動トルクや粘性抵抗の影響を受けてロール、ピッチ軸のコントロールが不安定になることを防ぐ電動式ダクテッドファン推進装置を提供する。【解決手段】ダクテッドファンの仕切り板に安定板２と可動翼のような舵１を装備して、反動トルクや渦によるロール軸方向の粘性抵抗を打ち消す。エレボン、ラダー、と同様な操舵を行うことで、コントロール性と共に確実な安定性を得る。【選択図】図２
2016000569.tif 000002
【特許請求の範囲】
【請求項１】
シュラウド（円筒管）と、その内部に電動モータをステイで結合し、電動モータに
プロペラを具備してなるダクテッドファンを応用した、電動式推進装置の構造に
おいて、渦の悪影響をなくす為に、ダクテッドファンの噴射流体に仕切り安定板
を用いる電動式推進装置の構造。
【請求項２】
飛行軸制御、推力軸制御（スラストベクターコントロール）の為に、
ダクテッドファンの噴射流体に仕切り安定板と可動翼を具備する、
請求項１記載の電動式推進装置の構造。
【請求項３】
ダクテッドファンのモーターステイと仕切り安定板のみ、または仕切り安定板と
可動翼を兼用する、請求項１記載の電動式推進装置の構造。
【発明の詳細な説明】
【技術分野】
【０００１】
この発明は、ダクテッドファンの構造に関する。
【背景技術】
【０００２】
従来のダクテッドファンを高性能化する特徴的構造としては次に示すような
ものがある。
１）インテークリップ
２）絞り
３）インペラ後方の整流板
従来のダクテッドファンの構造や飛行を制御し安定させる方法に、
関するものとしては
実開昭61-125899  
「ダクトに昇降舵または昇降舵と方向舵を取り付けたタクテッドプロペラ」
特開2012−101598  電動式推進装置
特開2006−123880
ダクテッドファンを推進力に飛行する飛行物体を安定させる構造
といった技術が公開されている。
【先行技術文献】
【特許文献】
【０００３】
【特許文献１】実開昭６１−１２５８９９
【特許文献２】特開２０１２−１０１５９８
【特許文献３】特開２００６−１２３８８０
【発明の概要】
【発明が解決しようとする課題】
【０００４】
ダクテッドファンはモータの反動トルクと後方噴射流が渦を巻いており
その粘性抵抗の影響を受けている。この渦を整流する構造が重要で、
仕切り板を配する構造が知られているが、その面積や配置によっては
目的の安定性が得られない事がある。
従来の方法にあっては、その安定化の原理を明らかに示されておらず、
コントロールが不安定になるという課題がある。
【課題を解決するための手段】
【０００５】
仕切り板のみまたは、安定板と可動翼のような舵を装備して、エレボン、ラダー
と同様な操舵を行いコントロール性と共に確実な安定性を得る。
【発明の効果】
【０００６】
反動トルクと渦によるロール軸方向の粘性抵抗を打ち消す事ができ、
ダクテッドファンの取付け誤差、推力線のズレによる不安定（クセ）
があっても可動翼のトリムで簡単に修正できる。                                                                                                                                                                                                                            
【図面の簡単な説明】
【０００７】
【図１】仕切り板を2枚、3枚、4枚とした場合。
【図２】モーターステイを仕切り安定板とし、可動翼を装備した場合。        高温のガスを噴射しないEDFにおいて有効な、推力軸、飛行軸を制御する方法。
【発明を実施するための形態】
【０００８】
飛行軸（ピッチ軸、ロール軸、ヨー軸）制御が不安定になりがちな
全翼機などに安定性を与える。
【実施例】
【０００９】
全翼機、ショートスパンな飛翔体、誘導ミサイル。
【産業上の利用可能性】
【００１０】
ロケットやジェットのような高温のガスを噴射しない流体噴射式反動推進器
（ダクテッドファン）において有効な制御方法。
【符号の説明】
【００１１】
・  可動翼
・  安定板
・  シュラウド
・  インペラ
・  モーター
【図１】
2016000569.tif 000003
【図２】
2016000569.tif 000004
(57)【要約】【課題】本発明は、ゴミ箱内のごみ袋・レジ袋の開口部を保持する機能を提供する。【解決手段】本発明は、弾性素材で本体の設置位置を固定する固定部と、固定部につながる枝部の先の部分に、袋の輪状部分を保持するストッパ部とフック部から成る袋の開口保持器具である。器具を袋の外側から包み込むようにして、ストッパ部とフック部の間に袋の輪状部分を引っかけ、弾性素材の復元力で袋の開口状態を保持できる。【選択図】図１
2016000646.tif 000002
【特許請求の範囲】
【請求項１】
弾性のある素材で、中央に本体の設置位置を保つための固定部があり、固定部につながった枝部の先にあるフックで袋の輪状部分を保持し、素材の持つ復元力で袋の輪状部分を外側に引っ張ることで、袋の開口状態を保持できる器具。
【発明の詳細な説明】
【技術分野】
【０００１】
この発明は、ゴミ袋・レジ袋の開口部を保持するものである。
【背景技術】
【０００２】
従来は、ゴミ袋やレジ袋の開口部の端を部分的または全体的にゴミ箱に挟み込んで固定する機構を利用していた。
【先行技術文献】
【特許文献】
【０００３】
【特許文献１】特許公開２０１３−２４９１７６号公報
【発明の概要】
【発明が解決しようとする課題】
【０００４】
ゴミ袋やレジ袋の端をゴミ箱の枠の部分的に挟み込んで固定する方法では、ゴミ箱がゴミ袋・レジ袋より大きいと袋を固定できない部分が生じ宙ぶらりんになるため固定箇所が定まらず、袋の開口部を開いた状態で維持するのが難しいという欠点があった。
【０００５】
また、ゴミ箱がゴミ袋・レジ袋より小さいと袋を固定する部分のスペースが使えないため袋一杯にゴミを捨てることができず、収容効率が悪くなるという欠点があり、ゴミ袋・レジ袋の大きさにゴミ箱の大きさを合わせないと使い勝手が悪いという欠点があった。
【０００６】
特許文献１に記載した発明の場合、堅固な金属でできた折り畳み式スタンドの開閉を利用してゴミ袋の開口部を開く機構を使っているため、スタンド開脚寸法に応じた設置スペースを確保する必要があり、形状に柔軟性がないため、利用場所に制限があった。また、構造的に低価格での実現が難しいという欠点があった。
【課題を解決するための手段】
【０００７】
前項で説明した課題を解決するために、弾性素材の復元力を使ってゴミ袋やレジ袋を下側から包み込みながら袋開口部分を外側へ引っ張る構造のものを発明した。
【発明の効果】
【０００８】
この発明によって、ゴミ箱内空きスペースの寸法や形状に応じて、袋の開口部を開いた状態で維持することができ、ゴミを捨てやすくすることができる。
【０００９】
また、ゴミ箱自体を使わなくてもゴミ袋やレジ袋を固定して使うことができる。
【図面の簡単な説明】
【００１０】
【図１】器具を示した斜視図である。
【図２】器具をゴミ袋に装着した状態を示した断面図である。
【図３】器具を組み立て式構造にしたときの接続例。
【発明を実施するための形態】
【００１１】
以下、本発明の実施の形態を図１〜図２に基づいて説明する。
【００１２】
図１のように、本体は、棒状または細い板状体から構成され、バネ材のような弾性のある素材でできている。
【００１３】
本体中央付近には本体使用時の設置位置を固定する底の役割を持つ環状の固定部１がある。
【００１４】
固定部１の中心から放射状にかつ対称的に配置された枝部２が、偶数本固定部１の周りにつながっている。
【００１５】
枝部２の先端にフック部４を設け、枝部２とフック部４の境界部分にフック部４と同一方向に突出したストッパ部３を設ける。このときフック部４とストッパ部３は同一平面を構成している。
【００１６】
本発明を使用するときに、図２のように、フック部４とストッパ部３は袋を外側に引っ張る方向に配置される。
【００１７】
本発明を使用するときは、図２のように、ストッパ部３とフック部４との間で袋の輪状の部分を保持する。ストッパ部３によって、袋を引っかけた際に袋がずり落ちるのを防ぐ。
【００１８】
ストッパ部３とフック部４との間で袋の輪状の部分を保持した後は、本体特に枝部２の弾性素材が復元する力を使って袋開口部を外側へ放射状に均等に引っ張ることで袋の開口部を開いた状態で維持する。
【００１９】
固定部１には環状の他に、円板形もしくは四角形の形でも実施が可能である。
【００２０】
図３のように固定部１に枝部２の差し込み口を設けて、脱着できるような構造にしても実施が可能である。
【符号の説明】
【００２１】
１固定部
２枝部
３ストッパ部
４フック部
【図１】
2016000646.tif 000003
【図２】
2016000646.tif 000004
【図３】
2016000646.tif 000005
(57)【要約】      （修正有）【課題】入浴時でもバストの下がりを防止するための入浴用バストサポートブラジャーであって、バストの重さを支えいつまでもバストの美しさを保ち、加齢と共に下がり始めたバストをくい止める美容効果が期待できる。【解決手段】バストの形を維持する美容的効果と、バストが大きい女性や加齢に伴いバストが下がり始めた女性のバストを下がらせない効果を得る目的の入浴用バストサポートブラジャーであって、ＥＡＶ樹脂やシリコーンゴム製品でバストの形状の型を形状記憶形成して縫い目は無いものとし、入浴時の４５度の熱にも強く、また、水にも強く速乾性のある弾力性のある素材で形成する。【選択図】図１
2016000883.tif 000002
【特許請求の範囲】
【請求項１】
女性が入浴時にバストが下がらないように、入浴時でもバストの下がりを防止するための入浴用バストサポートブラジャーである。
【請求項２】
入浴時に使用するものであり、４５度の熱にも強く、また、速乾性のある素材を使用する。
【請求項３】
バストの形を維持したいという美容的効果もあり、特にバストが大きい女性、年齢と共に下がり始めたバストを下がらせないという効果を必要とされる要望に応えるものである。
【請求項４】
形状としては、ＥＡＶ樹脂やシリコーンゴム製品でバストの形状の型を形成して縫い目は無い。
【請求項５】
現状では、まだ、このような入浴時の美容に関するブラジャーは開発されておらず、開発すれば、バストの下がる悩みを抱えた多くの女性に支持されると考えた。
【発明の詳細な説明】
【技術分野】
【０００１】入浴用
【背景技術】
【０００２】特開平１０−２９８８０４
ワイヤーを挿入することなくカップを安定させ、身体に密着させ、バストを支える為の素材を高軟化温度および低軟化温度による技術でカップを作る。。
【先行技術文献】
【特許文献】
【０００３】
【特許文献１】実用新案登録番号  ３０４６７８５号
【特許文献２】特願平０９−２０７２１６
【発明の概要】
【発明者が開発しょうとする課題】
【０００４】  女性の加齢によるバストの下がり、またはバストが大きい女性の入浴時にバストが下がるのを防止するブラジャーが無かった。
【課題を解決するための手段】
【０００５】女性の加齢によるバストの下がり、またはバストが大きい女性の入浴時にブラジャーを外した時間のバストの下がりを防止する為に、バストの下部に、バストの重みを受け止める形状と補強でバストを支え、入浴時、特にシャワーなどの体を洗う時間にもバストを下から支えられバストの形をキープする為に考案した。尚、バストの形をキープしながらバストも簡単に洗えるし、入浴用ブラジャーも簡単な手入れで長く使えるものを考案した。
【発明の効果】
【０００６】入浴用サポートブラを入浴中に装着することによって、仮に一日１５分のサポートされない女性のバストは、年間にすると約９１時間もの間、ブラジャーを身につけていない計算になる。少しの時間でも加齢による長期的な重力時間を科学的に考えると、日々の入浴時もバストをサポートすることによって、バストの垂れ下がりを防止することが期待できる。
【図面の簡単な説明】
【０００７】
【図１】側面と後ろ図のように、バストの下部を下から支え、バストの形が垂れ下がらないように、乳房の下の部分を自然に丸みを持たせその下部の帯部分は幅を長く取り、その素材に水玉の穴を空け軽さを持たせる。また、後ろの留め金は、ゴム形状の伸びるものでボタンに引っかける、またはフックのようにする、肩ひも無しのタイプ。
【図２】正面の図のように、乳房の３分の１程度のカップで乳房を風呂場で洗いやすいような形状としている。また、後ろの留め金に掛けるゴム状のものも伸びるので、下にずらして乳房を洗い、その下部も洗ってから、元に戻し装着サポートさせることによって、美しいバストを長く保つことができる。
【発明を実施するための形態】
【０００８】ＥＶＡ樹脂、又は、シリコーンゴムを素材とした形状記憶弾性のある素材。
【実施例】
【０００９】図１は、入浴する前に装着し、バストの形にフィットさせバストの下がりを防止する。胸元を洗う時には、入浴サポートブラを下に下げ、洗い、その後洗い終わり風呂に浸かるときも、装着したままか、外してもどちらでも構わないが、下がるのを防止させるためには、外している時間を少なくするとよい。
図２は、正面からの図で、バストの３分の１は胸元が出ているため洗いやすいし、入浴サポートブラを下げれば、普通に胸下を洗うことが出来る。また、乳房の下の帯の部分には素材に穴を開けてあるため、水はけが良く、軽さもあるため、サポート力があるにも関わらずきつさが無なくなる。
【符号の説明】
【００１０】１  １Ａは、乳房にフィットした形状になっている。
２  ２Ａは、乳房と乳房の間のくぼみで、ブラ自体も凹みを作っている。
３  ３Ａ帯部は、１Ａと一つの素材で繋がっており、形地が形状記憶となっている。
４  ４Ａ後ろの部分は前からの１Ａ，２Ａ．，３Ａと繋がり、背骨の所は空いている。
５  ５Ｄボタン又はフック。錆びない留め金。またはアクリル製の留め金。
６  ６Ｃは、後ろで留める為の伸び縮みするゴムヒモ。
７  ７Ｂは、バストの下の帯部は、幅広の帯に水玉の穴を空けて、水はけを良くしている。
【図１】
2016000883.tif 000003
【図２】
2016000883.tif 000004